(57)【要約】【課題】注出口の径よりも大きな封入物を封入できると共に、液体等の収容物の漏出を防止できる注出口及びジッパー付き容器を提供する。【解決手段】本発明の注出口及びジッパー付き容器１は、シート状部材（３ａ１，３ａ２）、３ｂを重ねて周囲を溶着することにより内容物を収容するための収容部を形成する収容体本体５と、シート状部材間３ａ１、３ｂに介在され、収容物を注出する注出口１０と、シート状部材の一方側３ａ１、３ａ２に開口７ａを備える重ね部７と、を有する。重ね部７には、開口７ａを密封、開封可能なジッパー２０が設けられている。【選択図】  図１
2017030840.tif 000002
【特許請求の範囲】
【請求項１】
シート状部材を重ねて周囲を溶着することにより内容物を収容するための収容部を形成する収容体本体と、
前記シート状部材の縁部に介在され、収容物を注出する注出口と、
前記重ねたシート状部材の表面に開口を備える重ね部と、を有し、
前記重ね部には、前記開口を密封、開封可能なジッパーが設けられていることを特徴とする注出口及びジッパー付き容器。
【請求項２】
前記重ね部には、前記ジッパーの開封を解除する引き裂き片が取着されていることを特徴とする請求項１に記載の注出口及びジッパー付き容器。
【請求項３】
前記収容体本体は、上縁部と下縁部を備え、前記下縁部に底壁が溶着された自立袋として構成されており、
前記重ね部は、前記上縁部と下縁部の間の中間領域に、横方向に亘って形成されていることを特徴とする請求項１または２に記載の注出口及びジッパー付き容器。
【請求項４】
前記ジッパーは、前記注出口の配設位置によって特定される最大液体収容位置から３５〜４０％の高さに配設されていることを特徴とする請求項３に記載の注出口及びジッパー付き容器。
【請求項５】
前記自立袋として構成される収容体本体は、横辺／縦辺の比率が１以上の横長形状に形成されていることを特徴とする請求項４に記載の注出口及びジッパー付き容器。
【発明の詳細な説明】
【技術分野】
【０００１】
本発明は、液体等の収容物を注出する注出口（スパウトとも称する）と、前記注出口の径よりも大きな封入物を封入可能にするジッパーとを備えた注出口及びジッパー付き容器に関する。
【背景技術】
【０００２】
液体等の収容物を収容する容器として、合成樹脂等で形成されたシート状部材の周縁部を溶着し、かつ、収容物を注出するためのスパウトをシート状部材間に介在して溶着されたものが知られている。このような容器は、安価であると共に、取り扱いが容易であることから、様々な分野で使用されている。
【０００３】
上記した容器は、例えば、飲料用として利用することが可能であるが、大きな封入物を封入し、かつ、注出操作は少しずつ行うような特殊な使用態様では利用できない。例えば、自家製の果実酒を製造しようとする場合、収容部に果実や氷砂糖（封入物）を封入し、かつ焼酎を収容する必要があるが、注出口の径が小さいことから、封入物を収容部内に封入することはできない。また、飲料物に氷を入れて冷やそうとしても、注出口の径が小さ過ぎて、氷を封入することができない。
【０００４】
そこで、例えば特許文献１には、ジッパーによって、径の大きな封入物を封入、取出可能なスパウト付き容器が開示されている。この容器は、容器の一端部に形成された開口に、密封かつ開封可能なジッパーを備えているため、スパウトより径が大きい封入物は、ジッパーを開封することによって、収容部への封入、及び収容部からの取出ができる。また、ジッパーを密封した状態では、液体のみをスパウトから注出でき、上記のような使用態様で利用することができる。
【先行技術文献】
【特許文献】
【０００５】
【特許文献１】特許第４９８６３０９号公報
【発明の概要】
【発明が解決しようとする課題】
【０００６】
しかし、上記した従来技術の容器を用いると、ジッパーへの負荷が大きい場合に、収容された液体等が漏れ出る課題がある。具体的には、特許文献１の図１のように、ジッパーが上縁部（シート状部材間）に設けられている場合、液体の注出時に容器を傾けると、収容物の荷重がジッパーにかかるため、ジッパーの密着が維持できなくなり、収容された液体が漏れ出ることがある。また、スパウトとジッパーを閉じた状態であっても、容器を逆さまにしたり、倒したり、振ったりした場合に、収容物の荷重が上縁部にかかると、ジッパーの密着が保てず、液体が漏れ出すことがある。
【０００７】
本発明は、このような課題に着目してなされたものであり、注出口の径よりも大きな封入物を封入できると共に、液体等の収容物の漏出を防止できる注出口及びジッパー付き容器を提供することを目的とする。
【課題を解決するための手段】
【０００８】
上記した目的を達成するために、本発明に係る注出口及びジッパー付き容器は、シート状部材を重ねて周囲を溶着することにより内容物を収容するための収容部を形成する収容体本体と、前記シート状部材の縁部に介在され、収容物を注出する注出口と、前記重ねたシート状部材の表面に開口を備える重ね部とを有し、前記重ね部には、前記開口を密封、開封可能なジッパーが設けられていることを特徴とする。
【０００９】
上記した構成の容器では、ジッパーを開封して、収容部内に径の大きな封入物を封入、取出することができる。また、ジッパーを密封し、注出口を開封した状態では、注出口から液体等、封入物以外の収容物を注出可能となる。前記ジッパーは、シート状部材の表面に重ね部を形成し、その重ね部に設けられるため、シート状部材の内面同士に設ける場合に比べて、収容物の荷重による圧力を受けにくくできる。したがって、ジッパーにかかる圧力が低減されて、ジッパーの密着を維持可能となり、収容する液体等の漏れを防止できるようになる。
【００１０】
通常、容器を傾けたり、逆さまにしたりした場合、収容物の荷重は、収容物が寄せ集まる部分に強くかかり、その部分は前記収容部の周縁である。従来技術のように、ジッパーが前記周縁部の対向内面に配設される場合、ジッパーは収容物の荷重による負荷を強く受けて密着部分が開口してしまうことがあり、液漏れ等が引き起こされる。これに対して、本発明の構成では、ジッパーを、シート状部材の表面の重ね部に配設するため、ジッパー部分に作用する圧力は、ジッパーの係合方向に作用することから、ジッパーを開こうとする圧力が加わり難くなる。すなわち、ジッパーに加わる負荷が低く抑えられることから、収容する液体等の漏出を防止することができる。
【００１１】
このような構成の容器は、上述した自家製果実酒や氷水等、径の大きな固体と液体を混合し、液体のみを注出するような用途に好適である他、液体を凍らせた収容物を、解凍の状態にかかわらず取り出す容器としても適している。また、倒れたり、振ったりしても、液漏れや粉漏れがしにくい簡易容器等として幅広く活用できる。
【発明の効果】
【００１２】
本発明によれば、注出口から液体等を注出し、ジッパーによって注出口の径よりも大きな封入物を封入、取出でき、かつ、ジッパー密封時にジッパーからの収容物の漏出を防止可能な注出口及びジッパー付き容器が得られる。
【図面の簡単な説明】
【００１３】
【図１】本発明の一実施形態に係る容器の平面図。
【図２】図１に示す容器において、引き裂き片を引き出す状態を示す斜視図。
【図３】（Ａ）は図１に示す容器のＡ−Ａ線に沿った断面図、（Ｂ）は主要部の拡大図。
【図４】図１に示す容器の使用方法（径の大きな封入物の封入）を説明する斜視図。
【図５】図１に示す容器の使用方法（液体の注入）を説明する斜視図。
【図６】図１に示す容器の使用方法（保管状態）を説明する斜視図
【図７】（Ａ）は使用方法（径の大きな封入物の封入中）を示す容器の縦断面図、（Ｂ）は使用方法（径の大きな封入物の封入後）を示す容器の縦断面図、（Ｃ）は使用方法（液体の注入後）を示す容器の縦断面図。
【図８】（Ａ）及び（Ｂ）は、それぞれ従来の容器におけるジッパーの形成位置を示す断面図。
【発明を実施するための形態】
【００１４】
以下、図面を参照しながら本発明の実施形態について説明する。
【００１５】
図１〜図３は本発明の一実施形態に係る注出口及びジッパー付き容器（以下、容器と称する）を示す図であり、図１は容器の平面図、図２はジッパーの開封を解除する引き裂き片を引き出す状態における容器の斜視図、そして、図３は図１に示す容器のＡ−Ａ線に沿った断面図である。
【００１６】
本実施形態に係る容器１は、柔軟性を有し略長方形に形成された合成樹脂製のシート状部材（３ａ１，３ａ２）、及び、略同一形状の合成樹脂製のシート状部材３ｂを重ね合せ、斜線で示す周縁部をヒートバー等によって溶着することによって、収容部５Ａを有する収容体本体５が形成される。前記シート状部材は、例えば、ＰＥＴ（ポリエチレンテレフタレート）／ＰＥＦ（ポリエチレンフイルム）の積層体、ＯＮＹ（延伸ナイロン）／ＰＥＦ（ポリエチレンフイルム）の積層体、ＯＰＰ（２軸延伸ポリプロピレン）／ＰＥＦ（ポリエチレンフイルム）の積層体などによって構成することが可能であり、更に、このような積層構造に、アルミ箔、透明蒸着、アルミ蒸着、ＥＶＯＨ（エチレン・ビニルアルコール共重合体）など、湿気、酸素バリヤのためのフイルムを組み合わせて構成しても良い。
【００１７】
図３に示すように、前記シート状部材（３ａ１，３ａ２）は、収容体本体５の一方側（表面）に、前記シート状部材３ｂは、収容体本体５の他方側（裏面）となるように重ね合わされる。表面においては、図示のようにシート状部材３ａ１の下端とシート状部材３ａ２の上端が、上下方向に一定の幅をもって重なり合うように配置されて重ね部７が形成される。この場合、重ね部とは、収容体本体を構成するシート状部材のいずれかの面を複数枚で構成し、その複数枚のシート状部材の一部を重ねることで形成されたものであれば良い。本実施形態における重ね部７は、複数枚のシート状部材の内、シート状部材３ａ１が下側、シート状部材３ａ２が上側となるように重ねて形成されるが逆であっても良く、このような重ね部７は、必ずしも表面に形成される必要はない。例えば、前記裏面のシート状部材３ｂを同様な２枚構成として重ね部を裏面に形成しても良く、また表面と裏面の両方に重ね部が形成されても良い。さらに、表面、裏面に形成される重ね部７は一つに限定されず、複数形成しても良い。
【００１８】
前記容器１は、前記シート状部材（３ａ１，３ａ２）、３ｂの周縁部を重ね合せて溶着し、底面がない袋構造としても良いが、本実施形態では別個の底面シートを更に設け、この底面シートと先の２枚の側面シート３ａ２、３ｂとを互いに熱溶着すること等により底壁９を形成し、容器１を自立袋としている。シート状部材（３ａ１，３ａ２）、及び３ｂの大きさ、形状、配置等については、使用目的に応じて適宜変形することができるが、本実施形態のように略長方形にする場合、長方形の横/縦比は、１未満（横長形状）に設定することが好ましい。このように縦長形状の方が、容器１を保持し易く、液体等の収容物を注出し易くなる。
【００１９】
前記収容体本体５の上部コーナーの一方は、重ね合わされたシート部材３ａ１、３ｂがあらかじめ斜めにカットされており、そのコーナー部（カットした縁部）４ｅには、収容部５Ａに収容される内容物を注出するための注出口（スパウト）１０が配設される。注出口１０の構成については特に限定されることはないが、本実施形態では、断面舟形形状の溶着部１０ａと、コーナー部４ｅから突出し円筒形で内容物注出用の口部１０ｂとを備えており、前記溶着部１０ａが重ねたシート状部材のコーナー部４ｅに介在して溶着されることで取り付けられている。なお、口部１０ｂには、口部を開封／密閉するための開封手段（スクリュー式のキャップ１０ｃ）が着脱可能に取り付けられており、収容部５Ａ内の収容物を少量ずつ注出できるようになっている。
【００２０】
前記注出口１０の取付位置については、本実施形態のように自立袋として構成するのであれば、前記コーナー部４ｅに限定されることはなく、前記収容体本体５の上縁部４ａ、または側縁部４ｂ、４ｄであって前記重ね部７より上側に形成されていることが好ましい。これは、重ね部７より下側に形成してしまうと、容器１を傾けない状態であっても、注出口１０の開封時に、充填された液体等が流出する可能性があるためである。
【００２１】
ただし、用途によっては、注出口１０を収容体本体５の下縁部４ｃ、または下縁部４ｃ近傍の側縁部４ｂ、４ｄに配設しても良い。例えば、レバー式の密封可能な構造を具備した注出口１０を前記下縁部４ｃに配設した場合、注出口１０の下部にグラスを置き、レバーを操作することによって、容器１を傾けずに、収容された液体等を注出できるようになる。
【００２２】
前記重ね部７には、重なりあうシート状部材３ａ１と３ａ２の密着、開封を行うジッパー（チャック）２０が設けられている。このジッパー２０は、例えば、シート部材３ａ１の下端部に、横方向にほぼ全長にわたって形成される凹溝２０ａと、シート部材３ａ２の上端部に、横方向にほぼ全長にわたって形成されて凹溝２０ａに係合する凸部２０ｂとから構成することが可能である。このような凹凸係合するジッパー２０は、使用者が密開封することが可能であり、開封することで収容部５Ａが横方向に開口され（図４に示すように開口７ａが形成される）、注出口１０の口部１０ｂよりも径の大きな封入物を収容部５Ａに封入し、また収容部５Ａから取出できるようになる。
【００２３】
前記重ね部７の開口７ａから封入する封入物の量を十分確保するためには、重ね部７の形成位置は、前記上縁部４ａになるべく近いことが好ましい。一方で、前記上縁部４ａ近傍は、容器１を傾けたり、逆さまにしたり、倒したりした場合に、収容物の負荷がかかる場所であるため、上縁部４ａ近傍にジッパー２０を配設すると、前述したような液漏れの原因となってしまい、上縁部４ａからはある程度距離をおいて形成することが好ましい。すなわち、ジッパー２０の配設位置が縁部側に近づくと、収容部５Ａを規定する内壁面が次第に傾斜してしまい、その部分には、収容物からジッパー２０を開こうとする負荷が大きく作用してしまう。このため、ジッパー２０は、収容状態において、収容部を規定する内壁面が大きく傾斜していない位置に配設することが好ましい。
【００２４】
具体的には、収容部内に収容される液体の量（最大液体収容位置）については、シート状部材に配設される注出口１０の位置によって特定される。この場合、本実施形態のように、容器１を自立袋として構成し、その注出口１０を上縁部側（コーナー部４ｅ）に配設するのであれば、液体を略一杯に収容しようとすると、最大液体収容位置は、図１に示すように、注出口１０の溶着部１０ａの高さ方向の下端位置Ｈ付近となる。上記したように、ジッパー２０に対して大きな負荷を作用させることなく、径の大きな封入物の量の確保と液漏れ防止のバランスを考慮すると、横方向のジッパー２０の配設位置については、下端位置Ｈから３５〜４０％の距離（下端位置Ｈから下縁部４ｃの下端４Ｃまでの距離Ｌを１００％とした場合、Ｌ１を３５〜４０％に設定する）に設定することが好ましい。すなわち、ジッパー２０を、下端位置Ｈから３５％未満の高さに形成すると、ジッパー２０にかかる収容物の荷重による負荷が大きく作用して液漏れし易くなってしまい、ジッパー２０を、下端位置Ｈから４０％超の高さに形成すると、開口７ａから封入できる封入物が少量となって、径の大きな封入物を封入できる利点が薄れてしまうからである（ジッパー２０を、下端位置Ｈから５０％の高さに形成すると負荷が作用し難く最も好ましい位置と考えられるが、封入量は少量となってしまう）。なお、上記したジッパー２０の配設位置は、長方形の横辺／縦辺の比率が１以上（横長形状）の収容体本体では、ジッパー２０に対して大きな圧力が作用することから特に好ましい配設態様となる。
【００２５】
前記ジッパー２０の配設位置は、シート状部材３ａ１，３ａ２の縦方向の長さ（高さ）によって規定できる。例えば、シート状部材３ａ１と３ａ２の高さが同一の場合、ジッパー２０は、前記上縁部４ａと下縁部４ｃの中央付近に位置するように配設することができる。すなわち、上記したようにジッパー２０を下端位置Ｈから３５〜４０％の高さに配設するには、シート状部材３ａ１，３ａ２の高さによって重ね部７の位置を調整し、その重ね部７におけるジッパー２０の配設位置を微調整すれば良い。
【００２６】
前記重ね部７には、前記ジッパー２０の開封を解除する引き裂き片３０を設けておくことが好ましい。この引き裂き片３０は、シート状部材３ａ２の上端縁３ａ２´から引き裂かれるとともに、シート状部材３ａ１の表面３ａ１´から剥離するように、上側となるシート状部材３ａ２に取着されており、この引き裂き片３０によって、未使用状態を保証し、更には、収容部５Ａ内への雑菌、異物の混入を防止することができる。例えば果実酒の製造に用いる場合、未使用状態で収容部５Ａの清潔は保たれているため、容器をあらかじめ煮沸等する必要がなく便利である。
【００２７】
前記引き裂き片３０は紐状であって、重ね部７において、ジッパー２０より上側に、ジッパー２０と略平行に取着されている。引き裂き片３０は、左端に摘み片３０ａを有し、この摘み片３０ａは、重ね部７の左側の側縁部４ｄに埋め込まれて取着されており、側縁部４ｄに形成された切れ目に沿って裏面から押し出すことができる。図２の矢印で示すように、押し出された摘み片３０ａを引き出すことによって、引き裂き片３０はシート部材３０ａ２の上端縁３ａ２´から引き剥がされ、ジッパー２０の上側に裂け目を生成し、この裂け目から、上記したように凹凸係合しているジッパー２０を開封することができる。なお、引き裂き片３０は、重ね部７の右側の周縁部４ｂの右端まで引き出すと、容器１から引き剥がれるように取着されている。
【００２８】
次に、上記した構成の容器１の使用方法について、図４〜図７を併せて参照し、自家製果実酒の製造例にしたがって説明する。
【００２９】
まず、引き裂き片３０の左端にある摘み片３０ａを、左側の側縁部４ｄの切れ目に沿って裏面から押し出し、押し出された摘み片３０ａを右側に引き出すことによって、ジッパー２０の上側に裂け目を発生させる。そして、この裂け目からジッパー２０を開封し、現れた開口７ａから、径の大きな封入物１５（果実、氷砂糖）を封入する（図４，図７（Ａ））。
【００３０】
このように径の大きな封入物１５を封入し、ジッパー２０を密封した後（図７（Ｂ））、注出口１０のキャップ１０ｃを開栓して焼酎を注ぎ入れる（図５，図７（Ｃ））。焼酎は、注出口１０が溶着された位置付近の高さまで注入することが可能である。注入時は、例えば、図５に示すように、注出口１０に漏斗１００を使用し、焼酎を注ぎ入れても良い。焼酎注入後は、注出口１０のキャップ１０ｃを密封し、果実酒が熟成されるまで容器１を保管する（図６）。
【００３１】
この保管時には、底部に溶着された底壁９によって、容器１を自立させて置くことができる。この保管時に、外部振動等によって容器１が倒れた場合であっても、ジッパー２０がシート状部材の表面に形成された重ね部７に配設されていることによって、ジッパー２０に加わる収容物の荷重による負荷は低く抑えられるため、収容した果実酒が容器１から漏れ出すことを回避できる。
【００３２】
具体的には、図７（Ｃ）に示すように、収容部５Ａ内からシート状部材（側壁部分）には、矢印で示すような圧力が作用するが、上記したように、シート状部材に重ね部７を形成し、その部分に凹凸係合するジッパー２０を配設することで、圧力が作用する方向と凹凸係合する方向が略同一となりジッパー２０を開こうとする圧力が加わり難くなる。すなわち、ジッパー２０に加わる負荷が低く抑えられることから、収容する液体等の漏出を防止することができる。
【００３３】
これに対して、図８の断面図で示される従来型の注出口及びジッパー付き容器４０，５０では、シート状部材間（シート状部材３ａ（表面）とシート状部材３ｂ（裏面）の内面の間）にジッパー２０が配設されているため、ジッパー２０に収容物の荷重が強く作用して液漏れの原因となる。具体的には、図８（Ａ）のように、ジッパー２０が容器４０の下縁部付近に形成されている場合、収容物の荷重は、常にジッパー２０にかかってしまい、ジッパー２０は開封し易くなる。また、図８（Ｂ）のように、ジッパー２０が容器５０の上縁部付近に形成された場合、容器５０を傾けたり、逆さまにしたり、振ったりした場合、収容物の荷重はジッパー２０にかかり易くなる。
【００３４】
以上のように、容器１を安定的に保管し、果実酒が熟成した際には、注出口１０から果実酒を注出する。注出時は、収容物の荷重による負荷が注出口１０の配設されたコーナー部４ｅ、及びコーナー部４ｅ近傍の上縁部４ａにかかるが、ジッパー２０がシート状部材の表面に形成されていることから、ジッパー２０にかかる負荷は低く、ここから果実酒が漏れ出すことはない。
【００３５】
そして、果実酒を注出し、その残量がジッパー２０の高さより低くなれば、ジッパー２０を開封して焼酎漬となった果実を取り出すこともできる。また、必要に応じて、ジッパー２０から果実や氷砂糖、注出口１０から焼酎を追加収容し、再び果実酒を熟成させることもできる。さらに、封入した氷砂糖を一定程度溶かしたり、二種類以上の焼酎を混同したりする場合等、容器１を振ることがあるが、その場合であってもジッパー２０から液漏れが発生することはない。
【００３６】
以上、本発明の実施形態について説明したが、本発明は上記した実施形態に限定されず、その趣旨を逸脱しない範囲で種々変形して実施できる。例えば、シート部材の材質については、収容物に応じて、種々多様なものを選択でき、シート部材間の溶着方法も熱溶着でなく超音波溶着などを用いても良い。また、容器や注出口の形状、ジッパーや引き裂き片の形状についても、上記した実施形態に限定されることはない。また、重ね部の形成位置や形成態様、ジッパーの密開封構造についても凹凸係合のシールでなくても良く、引き裂き片については必ずしも必要ではない。さらに、上述した実施形態では、収容対象物として食品を例示したが、本発明は、二つ以上の液体や固形物を混合し、液体のみ、または固形物のみを取り出すような用途であれば、例えば、医薬品等の分野にも幅広く活用可能である。
【符号の説明】
【００３７】
１  容器
３ａ１，３ａ２、３ｂ  シート状部材
４ａ  上縁部
４ｂ，４ｄ  側縁部
４ｃ  下縁部
４ｅ  コーナー部
５  収容体本体
５Ａ  収容部
７  重ね部
７ａ  開口
９  底壁
１０  注出口
２０  ジッパー
３０  引き裂き片
４０，５０  従来の容器
【図１】
2017030840.tif 000003
【図２】
2017030840.tif 000004
【図３】
2017030840.tif 000005
【図４】
2017030840.tif 000006
【図５】
2017030840.tif 000007
【図６】
2017030840.tif 000008
【図７】
2017030840.tif 000009
【図８】
2017030840.tif 000010
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
シート状部材を重ねて周囲を溶着することにより二つ以上の内容物を混合して収容するための収容部を形成する収容体本体と、
前記シート状部材の縁部に介在され、前記内容物の注出用の口部を備え、その口部の径以下の大きさの内容物を前記収容部に注入、かつ、前記収容部から注出可能な注出口と、
前記注出口の口部より径の大きな内容物を前記収容部に封入、かつ前記収容部から取り出し可能なジッパーと、を有し、
前記ジッパーは、前記重ねたシート状部材の表面に開口を備える重ね部において、前記開口を密封、開封可能に配設されており、
前記収容体本体は、上縁部と下縁部を備え、
前記重ね部は、前記上縁部と下縁部の間の中間領域に、横方向に亘って形成されており、
前記注出口は、前記重ね部より上縁部側に介在されている
ことを特徴とする注出口及びジッパー付き容器。
【請求項２】
前記二つ以上の内容物として、液体、および前記口部の径より大きな固体が含まれる場合に、
前記注出口は前記液体の注入、注出用途に用い、
前記ジッパーは前記固体の封入、取り出し用途に用いる
ことを特徴とする請求項１に記載の注出口及びジッパー付き容器。
【請求項３】
前記重ね部には、前記ジッパーの開封を解除する引き裂き片が設けられており、
前記引き裂き片によって、前記収容部の未使用状態が保証されている
ことを特徴とする請求項１または２に記載の注出口及びジッパー付き容器。
【請求項４】
前記収容体本体は、前記下縁部に底壁が溶着された自立袋として構成されていることを特徴とする請求項１から３のいずれか1項に記載の注出口及びジッパー付き容器。
【請求項５】
前記自立袋として構成される収容体本体は、横辺／縦辺の比率が１以上の横長形状に形成されていることを特徴とする請求項４に記載の注出口及びジッパー付き容器。
【手続補正２】
【補正対象書類名】明細書
【補正対象項目名】０００８
【補正方法】変更
【補正の内容】
【０００８】
上記した目的を達成するために、本発明は、本発明に係る注出口及びジッパー付き容器は、シート状部材を重ねて周囲を溶着することにより二つ以上の内容物を混合して収容するための収容部を形成する収容体本体と、前記シート状部材の縁部に介在され、前記内容物の注出用の口部を備え、その口部の径以下の大きさの内容物を前記収容部に注入、かつ、前記収容部から注出可能な注出口と、前記注出口の口部より径の大きな内容物を前記収容部に封入、かつ前記収容部から取り出し可能なジッパーと、を有し、前記ジッパーは、前記重ねたシート状部材の表面に開口を備える重ね部において、前記開口を密封、開封可能に配設されており、前記収容体本体は、上縁部と下縁部を備え、前記重ね部は、前記上縁部と下縁部の間の中間領域に、横方向に亘って形成されており、前記注出口は、前記重ね部より上縁部側に介在されていることを特徴とする。